(57)【要約】【課題】主に自動車の空調や音響機器等の操作に用いられるスイッチ装置に関し、操作体の抜け強度を高め、製作の容易なものを提供することを目的とする。【解決手段】操作体１１の中空筒部１１Ａ外周に略Ｕ字状のばね部材１３を装着すると共に、このばね部材１３の両端から上内方へ延出したアーム部１３Ｂの係止部１３Ｃを、中空筒部１１Ａの通孔部１１Ｂを挿通させ、操作軸１２Ａ外周の溝部１２Ｂに弾接させることによって、操作体１１の抜けを防ぎ確実に保持できると共に、容易に組立てが可能なスイッチ装置を得ることができる。【選択図】図１
2008071562.tif 000002
【特許請求の範囲】
【請求項１】
下面に中空筒部が突出形成された操作体と、上方に突出した操作軸の回転によって電気的接離を行うスイッチと、上記スイッチの操作軸が挿入された上記操作体の中空筒部外周に装着された略Ｕ字状のばね部材からなり、上記操作軸外周に溝部を、上記中空筒部に通孔部を各々設けると共に、上記ばね部材の両端から上内方へ延出したアーム部を、上記通孔部を挿通させ上記溝部に弾接させたスイッチ装置。
【請求項２】
操作軸の溝部に傾斜部を設けた請求項１記載のスイッチ装置。
【発明の詳細な説明】
【技術分野】
【０００１】
本発明は、主に自動車の空調や音響機器等の操作に用いられるスイッチ装置に関するものである。
【背景技術】
【０００２】
近年、車室内のフロントパネル部に、様々な操作体を備えたスイッチ装置を配置し、これらによってエアコンやオーディオ等の各種電子機器の操作を行うものが増えている。
【０００３】
このような従来のスイッチ装置について、図６及び図７を用いて説明する。
【０００４】
図６は従来のスイッチ装置の断面図、図７は同分解斜視図であり、同図において、１は絶縁樹脂製で略円柱状の操作体で、下面には下方へ突出する中空筒部１Ａが形成されると共に、この中空筒部１Ａ外周には複数の切込部１Ｂが設けられている。
【０００５】
そして、２は略円柱状の操作軸２Ａが上方へ突出したスイッチで、このスイッチ２内には操作軸２Ａの回転によって、電気的接離を行う複数のスイッチ接点（図示せず）が形成されると共に、側面に平坦部２Ｂが形成された操作軸２Ａが、操作体１下面の中空筒部１Ａに挿入されている。
【０００６】
また、３は金属線が螺旋状に巻回されたばね部材で、このばね部材３がやや撓んだ状態で中空筒部１Ａ外周に装着され、中空筒部１Ａを操作軸２Ａに締め付けてスイッチ装置が構成されている。
【０００７】
なお、このようなスイッチ装置を組み立てる際には、先ず、ばね部材３を操作体１下面の中空筒部１Ａ外周に装着した後、スイッチ２の操作軸２Ａを中空筒部１Ａ内に、中空筒部１Ａやばね部材３を外方へ広げながら圧入して製作が行われる。
【０００８】
そして、このようなスイッチ装置は、両面に複数の配線パターン（図示せず）が形成された配線基板４に半田付け等によって実装され、車室内のフロントパネル部等に装着されると共に、スイッチ２がコネクタやリード線（図示せず）等によって、エアコンやオーディオ等の各種電子機器や、自動車の電子回路（図示せず）に電気的に接続される。
【０００９】
以上の構成において、操作体１を回転操作すると、操作体１下面の中空筒部１Ａに圧入装着された操作軸２Ａが回転して、スイッチ２内のスイッチ接点の電気的接離が行われ、この信号が電子機器や電子回路に出力されて、例えば、エアコンの温度やオーディオの音量の増減等が行われる。
【００１０】
なお、この時、回転方向については、操作軸２Ａ側面に形成された平坦部２Ｂによって、通常の操作力では操作体１と操作軸２Ａが空回りすることはないが、上方への抜き方向については、ばね部材３の撓み力によって、中空筒部１Ａが操作軸２Ａに締め付けられているだけであるため、強い力で操作体１を引っ張ると、操作体１が操作軸２Ａから抜けてしまう場合がある。
【００１１】
そして、これを防ぐため、ばね部材３の締め付け力を強くすると、操作体１の抜け強度は高まるが、操作体１とスイッチ２を組み立てる際、操作軸２Ａを中空筒部１Ａに圧入しづらくなるため、手では挿入が困難となり、治工具等を用いた組立てが必要となるものであった。
【００１２】
なお、この出願の発明に関連する先行技術文献情報としては、例えば、特許文献１が知られている。
【特許文献１】実開平２−２３７１８号公報
【発明の開示】
【発明が解決しようとする課題】
【００１３】
しかしながら、上記従来のスイッチ装置においては、操作体１の抜けを防止するため、ばね部材３の締め付け力を強くすると、操作体１とスイッチ２の組立てがしづらくなり、製作に時間を要するという課題があった。
【００１４】
本発明は、このような従来の課題を解決するものであり、操作体の抜け強度を高め、製作の容易なスイッチ装置を提供することを目的とする。
【課題を解決するための手段】
【００１５】
上記目的を達成するために本発明は、以下の構成を有するものである。
【００１６】
本発明の請求項１に記載の発明は、スイッチの操作軸が挿入された操作体の中空筒部外周に、略Ｕ字状のばね部材を装着すると共に、このばね部材の両端から上内方へ延出したアーム部を、中空筒部の通孔部を挿通させ、操作軸外周の溝部に弾接させてスイッチ装置を構成したものであり、ばね部材両端のアーム部が操作軸の溝部に嵌まり込んで、操作体がスイッチの操作軸に係止されているため、操作体の抜けを防ぎ確実に保持できると共に、ばね部材全体の撓みによって、これを中空筒部に装着しているため、組立ても容易に行うことが可能なスイッチ装置を得ることができるという作用を有する。
【００１７】
請求項２に記載の発明は、請求項１記載の発明において、操作軸の溝部に傾斜部を設けたものであり、傾斜部の形状や大きさを変えることで、操作体の抜去力を所望のものに設定することができるという作用を有する。
【発明の効果】
【００１８】
以上のように本発明によれば、操作体の保持が確実で、組立ての容易なスイッチ装置を実現することができるという有利な効果が得られる。
【発明を実施するための最良の形態】
【００１９】
以下、本発明の実施の形態について、図１〜図５を用いて説明する。
【００２０】
（実施の形態）
図１は本発明の一実施の形態によるスイッチ装置の断面図、図２は同部分断面分解斜視図であり、同図において、１１はアクリルやポリカーボネート等の絶縁樹脂製で略円柱状の操作体で、下面には下方へ突出する中空筒部１１Ａが形成されると共に、この中空筒部１１Ａには複数の対向した通孔部１１Ｂや平坦部１１Ｃ、通孔部１１Ｂ上方に形成された複数の壁部１１Ｄが各々設けられている。
【００２１】
そして、１２は略円柱状の操作軸１２Ａが上方へ突出したスイッチで、このスイッチ１２内には操作軸１２Ａの回転によって、電気的接離を行う複数のスイッチ接点（図示せず）が形成されると共に、操作軸１２Ａ外周には溝部１２Ｂが、側面には平坦部１２Ｃが各々形成され、この操作軸１２Ａが操作体１１下面の中空筒部１１Ａに挿入されている。
【００２２】
また、１３は鋼や銅合金等の金属線製で略Ｕ字状のばね部材で、略Ｕ字状の折曲部１３Ａ両端には、折曲部１３Ａ方向へ折り返され上方へ延出する複数のアーム部１３Ｂが設けられると共に、このアーム部１３Ｂ中間部の中空筒部１１Ａ下端から通孔部１１Ｂと同じ高さには、略くの字状に内方へ折曲された係止部１３Ｃが形成されている。
【００２３】
さらに、このばね部材１３がやや撓んだ状態で中空筒部１１Ａ外周に装着されると共に、係止部１３Ｃが通孔部１１Ｂを挿通し、操作軸１２Ａの溝部１２Ｂに弾接して、スイッチ装置が構成されている。
【００２４】
また、このようなスイッチ装置を組み立てる際には、図３（ａ）の部分側面図や図４（ａ）部分平面図に示すように、先ず、平坦部１１Ｃと１２Ｃを当接させると共に、通孔部１１Ｂと溝部１２Ｂの位置を合わせて、スイッチ１２の操作軸１２Ａを操作体１１下面の中空筒部１１Ａに挿入した後、中空筒部１１Ａ左側方からばね部材１３を取り付ける。
【００２５】
そして、図３（ｂ）に示すように、中空筒部１１Ａ下端に折曲部１３Ａを当接させながら、ばね部材１３を中空筒部１１Ａ外周に押付けると、図４（ｂ）に示すように、係止部１３Ｃが中空筒部１１Ａ外周に当たり、折曲部１３Ａやアーム部１３Ｂが外方へ広がりながら、ばね部材１３が中空筒部１１Ａに挿入される。
【００２６】
なお、この時、中空筒部１１Ａ下端から通孔部１１Ｂまでの寸法と、折曲部１３Ａから係止部１３Ｃまでの寸法が同じ寸法に形成され、さらに通孔部１１Ｂ上方には係止部１３Ｃ上面が当接する壁部１１Ｄが形成されているため、係止部１３Ｃは位置ずれ等を起こすことなく、これらにガイドされて通孔部１１Ｂまで移動する。
【００２７】
そして、ばね部材１３を図３（ｃ）や図４（ｃ）に示すように、係止部１３Ｃが通孔部１１Ｂに嵌まり込むまで押し込むと、ばね部材１３の弾性復帰力によって、係止部１３Ｃが通孔部１１Ｂを挿通して、操作軸１２Ａの溝部１２Ｂに弾接し、係止部１３Ｃが溝部１２Ｂに嵌まり込んで、操作体１１がスイッチ１２の操作軸１２Ａに係止される。
【００２８】
なお、以上のように、操作体１１の中空筒部１１Ａにばね部材１３を装着する際には、折曲部１３Ａ両端や複数のアーム部１３Ｂが各々外方へ撓み、ばね部材１３全体の撓みによって中空筒部１１Ａへの装着が行われるため、ある程度ばね荷重の大きなばね部材１３を用いた場合でも、容易に組立てを行うことが可能なようになっている。
【００２９】
そして、このようなスイッチ装置は、図１に示すように、両面に複数の配線パターン（図示せず）が形成された配線基板１４に半田付け等によって実装され、車室内のフロントパネル部等に装着されると共に、スイッチ１２がコネクタやリード線（図示せず）等によって、エアコンやオーディオ等の各種電子機器や、自動車の電子回路（図示せず）に電気的に接続される。
【００３０】
以上の構成において、操作体１１を回転操作すると、操作体１１下面の中空筒部１１Ａに装着された操作軸１２Ａが回転して、スイッチ１２内のスイッチ接点の電気的接離が行われ、この信号が電子機器や電子回路に出力されて、例えば、エアコンの温度やオーディオの音量の増減等が行われる。
【００３１】
また、この時、操作体１１がスイッチ１２の操作軸１２Ａに、上述したように、平坦部１１Ｃと１２Ｃが当接して挿入されているため、操作体１１を回転操作した際、中空筒部１１Ａと操作軸１２Ａが空回りすることはなく、スイッチ１２の確実な電気的接離を行えるようになっている。
【００３２】
さらに、上述したように、ばね部材１３両端のアーム部１３Ｂの係止部１３Ｃが通孔部１１Ｂを挿通して、操作軸１２Ａの溝部１２Ｂに弾接し、係止部１３Ｃが溝部１２Ｂに嵌まり込んで、操作体１１が操作軸１２Ａに係止されているため、多少強い力で操作体１１を引っ張ったとしても、操作体１１が操作軸１２Ａから抜けることはなく、確実な保持が行えるように構成されている。
【００３３】
このように本実施の形態によれば、操作体１１の中空筒部１１Ａ外周に略Ｕ字状のばね部材１３を装着すると共に、このばね部材１３の両端から上内方へ延出したアーム部１３Ｂの係止部１３Ｃを、中空筒部１１Ａの通孔部１１Ｂを挿通させ、操作軸１２Ａ外周の溝部１２Ｂに弾接させることによって、操作体１１の抜けを防ぎ確実に保持できると共に、容易に組立てが可能なスイッチ装置を得ることができるものである。
【００３４】
また、図５の部分側面図に示すように、操作軸１２Ａの溝部１２Ｂ上部に、面取り状に所定角度の傾斜部１２Ｄを設け、この傾斜部１２Ｄの形状や大きさを変えることによって、ある程度の力までは操作体１１が抜けることを防ぎ、所定以上の力では比較的容易に操作体１１を抜くことが可能なように構成することもできる。
【００３５】
なお、以上の説明では、スイッチ１２の操作軸１２Ａを操作体１１の中空筒部１１Ａに挿入した後、中空筒部１１Ａ外周にばね部材１３を装着する構成について説明したが、中空筒部１１Ａ外周にばね部材１３を装着し、通孔部１１Ｂから係止部１３Ｃを内方へ突出させた状態で、これに下方から操作軸１２Ａを挿入する場合には、図５に示すように、操作軸１２Ａ先端に傾斜部１２Ｅを設けるようにすれば、多少の力は必要となるが、比較的容易に組立てを行うことが可能となる。
【産業上の利用可能性】
【００３６】
本発明によるスイッチ装置は、操作体の抜け強度を高め、製作の容易なものを実現することができ、主に自動車の空調や音響機器等の操作用として有用である。
【図面の簡単な説明】
【００３７】
【図１】本発明の一実施の形態によるスイッチ装置の断面図
【図２】同部分断面分解斜視図
【図３】同部分側面図
【図４】同部分平面図
【図５】同他の実施の形態による部分側面図
【図６】従来のスイッチ装置の断面図
【図７】同分解斜視図
【符号の説明】
【００３８】
１１  操作体
１１Ａ  中空筒部
１１Ｂ  通孔部
１１Ｃ  平坦部
１１Ｄ  壁部
１２  スイッチ
１２Ａ  操作軸
１２Ｂ  溝部
１２Ｃ  平坦部
１２Ｄ、１２Ｅ  傾斜部
１３  ばね部材
１３Ａ  折曲部
１３Ｂ  アーム部
１３Ｃ  係止部
１４  配線基板
【図１】
2008071562.tif 000003
【図２】
2008071562.tif 000004
【図３】
2008071562.tif 000005
【図４】
2008071562.tif 000006
【図５】
2008071562.tif 000007
【図６】
2008071562.tif 000008
【図７】
2008071562.tif 000009